(57)【要約】【課題】  高周波の信号に対しても損失を低減することのできるテレビターミナルを提供する。【解決手段】  金属製の器体３と、器体３に設けられそれぞれテレビ放送用の信号を伝送するための伝送線が接続される入力端子１及び出力端子と、器体３の内部で入力端子１と出力端子とを電気的に接続する導電路４とを備える。器体３の内面の導電路４を挟む両側に突部３１を突設し、突部３１と導電路４との間に生じる浮遊容量を用いて入力端子１及び出力端子と導電路４とのインピーダンスを整合させた。【選択図】図１
2005050659.tif 000002
【特許請求の範囲】
【請求項１】
金属製の器体と、器体に設けられそれぞれテレビ放送用の信号を伝送するための伝送線が接続される入力端子及び出力端子と、器体の内部で入力端子と出力端子とを電気的に接続する導電路と、器体と導電路との間に生じる浮遊容量を用いて入力端子及び出力端子と導電路とのインピーダンスを整合させるインピーダンス整合手段とを備えたことを特徴とするテレビターミナル。
【請求項２】
インピーダンス整合手段は、器体の内面に突設された突部からなることを特徴とする請求項１記載のテレビターミナル。
【請求項３】
インピーダンス整合手段は、器体の内面に導電路に沿って複数並設された突部からなることを特徴とする請求項１記載のテレビターミナル。
【請求項４】
終端用の回路や電流阻止用の回路を実装するためのプリント配線板を保持する保持部を突部に設けたことを特徴とする請求項２又は請求項３記載のテレビターミナル。
【請求項５】
入力端子及び出力端子は、それぞれ伝送線としての同軸ケーブルの心線が挿入されるＦ型コネクタからなり、入力端子と出力端子との向きは同軸ケーブルの心線が挿入される方向が互いに交差する向きであって、入力端子に同軸ケーブルの心線が挿抜される方向で導電路を挟む位置に突部を設けたことを特徴とする請求項２記載のテレビターミナル。
【請求項６】
突部を導電路の全周を囲む形状としたことを特徴とする請求項２記載のテレビターミナル。
【請求項７】
器体の内面全体をインピーダンス整合手段とし、導電路と器体との間の浮遊容量によって入力端子及び出力端子とのインピーダンス整合がとれるように導電路と器体との間の距離を設定したことを特徴とする請求項１記載のテレビターミナル。
【請求項８】
インピーダンス整合手段は、導電路に設けられた他の部位よりも幅寸法が大きな幅広部からなることを特徴とする請求項１記載のテレビターミナル。
【請求項９】
インピーダンス整合手段は、導電部に設けられ、入力端子と出力端子とが並ぶ方向に直交する断面での断面積が他の部位よりも大きな拡径部からなることを特徴とする請求項１記載のテレビターミナル。
【請求項１０】
金属製の器体と、器体に設けられそれぞれテレビ放送用の信号を伝送するための伝送線が接続される入力端子及び出力端子と、インピーダンスが入力端子及び出力端子と整合し器体の内部で入力端子と出力端子とを電気的に接続する不平衡伝送線路とを備えることを特徴とするテレビターミナル。
【発明の詳細な説明】
【技術分野】
【０００１】
本発明は、テレビ受像機に接続される伝送線を接続するための端子を施工面に設けるために用いられるテレビターミナルに関するものである。
【背景技術】
【０００２】
従来から、テレビ受像機に接続される伝送線を接続するための出力端子と、アンテナ等に接続される伝送線を接続するための入力端子とを備えるテレビターミナルが提供されている。
【０００３】
この種のテレビターミナルとして、例えば図１１に示すものがある（例えば、特許文献１参照）。このテレビターミナルは、例えばダイカストによって成形され入力端子１と出力端子２とが設けられた器体３を有する。入力端子１と出力端子２とはテレビ放送用の信号を伝送するための伝送線としての同軸ケーブルが接続される所謂Ｆ型コネクタであって、図１２に示すように、それぞれ器体３と連続一体に形成された筒状部１１，２１と、絶縁体１２，２２を介して筒状部１１，２１の内部に保持され同軸ケーブルの心線（図示せず）を挟持する心線ばね１３，２３と、心線ばね１３，２３に電気的に接続され器体３の内部に突出する端子心線１４，２４とを備える。器体３の内部には、入力端子１及び出力端子２の端子心線１４，２４にそれぞれ例えばはんだ付けによって電気的且つ機械的に接続され入力端子１の端子心線１４と出力端子２の端子心線２４とを電気的に接続する導電路４が設けられている。ここで、導電路４への雑音の混入を防ぐために器体３の材料には金属が用いられているので、導電路４は絶縁を保つために器体３の内面から離して配置してある。
【０００４】
器体３は、例えば図１３に示すように入力端子１と出力端子２とが露出するように保持体Ｈに保持される。保持体Ｈは図示しない取付枠を用いて施工面に配設されるものであって、日本工業規格（ＪＩＳ  Ｃ８３０４参照）において大角連用形と称する埋込型の配線器具の施工時に用いる取付枠の窓穴に３個まで取付可能な寸法（いわゆる１個モジュール寸法）に形成されている。
【特許文献１】特開平１１−５４１７２号公報（第４−６頁，第１図）
【発明の開示】
【発明が解決しようとする課題】
【０００５】
ところで、近年、テレビ放送に用いられる信号の周波数が高くなっている。例えば、１１０度ＣＳデジタル放送の右旋円偏波によるサービスでは２１５０ＭＨｚに近い高周波が用いられており、左旋円偏波によるサービスでは２６００ＭＨｚまでの高周波が用いられる。そして、信号が高周波化すると、テレビターミナルの導電路４と入力端子１及び出力端子２とのインピーダンス整合が悪化するため、従来のテレビターミナルでは入力端子１及び出力端子２と導電路４との間での反射による損失が無視できないほど大きくなる。
【０００６】
本発明は上記事由に鑑みてなされたものであり、その目的は、高周波のテレビ放送用の信号に対しても損失を低減することができるテレビターミナルを提供することにある。
【課題を解決するための手段】
【０００７】
請求項１の発明は、金属製の器体と、器体に設けられそれぞれテレビ放送用の信号を伝送するための伝送線が接続される入力端子及び出力端子と、器体の内部で入力端子と出力端子とを電気的に接続する導電路と、器体と導電路との間に生じる浮遊容量を用いて入力端子及び出力端子と導電路とのインピーダンスを整合させるインピーダンス整合手段とを備えたことを特徴とする。
【０００８】
この構成によれば、信号の高周波化に対応してインピーダンス整合手段によりインピーダンスを整合することができ、高周波のテレビ放送用の信号に対しても、入力端子及び出力端子と導電路との接合部での反射による損失を低減することができる。
【０００９】
請求項２の発明は、請求項１の発明において、インピーダンス整合手段は、器体の内面に突設された突部からなることを特徴とする。
【００１０】
この構成によれば、器体に突部を設けるだけであるので、僅かな変更で容易に効果を得ることができる。
【００１１】
請求項３の発明は、請求項１の発明において、インピーダンス整合手段は、器体の内面に導電路に沿って複数並設された突部からなることを特徴とする。
【００１２】
この構成によれば、突部を１個とする場合に比べてより高い自由度でインピーダンスを設定することができるから、インピーダンスを整合させて損失を低減することがより容易になる。
【００１３】
請求項４の発明は、請求項２又は請求項３の発明において、終端用の回路や電流阻止用の回路を実装するためのプリント配線板を保持する保持部を突部に設けたことを特徴とする。
【００１４】
この構成によれば、終端用の回路や電流阻止用の回路が必要な場合と不要な場合とで器体を共用することができる。
【００１５】
請求項５の発明は、請求項２の発明において、入力端子及び出力端子は、それぞれ伝送線としての同軸ケーブルの心線が挿入されるＦ型コネクタからなり、入力端子と出力端子との向きは同軸ケーブルの心線が挿入される方向が互いに交差する向きであって、入力端子に同軸ケーブルの心線が挿抜される方向で導電路を挟む位置に突部を設けたことを特徴とする。
【００１６】
請求項６の発明は、請求項２の発明において、突部を導電路の全周を囲む形状としたことを特徴とする。
【００１７】
この構成によれば、より高い自由度で導電路のインピーダンスを設定することができるから、インピーダンスを整合させて損失を低減することがより容易になる。
【００１８】
請求項７の発明は、請求項１の発明において、器体の内面全体をインピーダンス整合手段とし、導電路と器体との間の浮遊容量によって入力端子及び出力端子とのインピーダンス整合がとれるように導電路と器体との間の距離を設定したことを特徴とする。
【００１９】
請求項８の発明は、請求項１の発明において、インピーダンス整合手段は、導電路に設けられた他の部位よりも幅寸法が大きな幅広部からなることを特徴とする。
【００２０】
この構成によれば、従来のテレビターミナルと器体を共用することができるから、改善のための費用が少なくて済む。
【００２１】
請求項９の発明は、請求項１の発明において、インピーダンス整合手段は、導電部に設けられ、入力端子と出力端子とが並ぶ方向に直交する断面での断面積が他の部位よりも大きな拡径部からなることを特徴とする。
【００２２】
この構成によれば、従来のテレビターミナルと器体を共用することができるから、改善のための費用が少なくて済む。
【００２３】
請求項１０の発明は、金属製の器体と、器体に設けられそれぞれテレビ放送用の信号を伝送するための伝送線が接続される入力端子及び出力端子と、インピーダンスが入力端子及び出力端子と整合し器体の内部で入力端子と出力端子とを電気的に接続する不平衡伝送線路とを備えることを特徴とする。
【００２４】
この構成によれば、信号の高周波化に対応して不平衡伝送線路と入力端子及び出力端子とのインピーダンスを整合させたので、高周波のテレビ放送用の信号に対しても、入力端子及び出力端子と導電路との接合部での反射による損失を低減することができる。また、従来のテレビターミナルと器体を共用することができるから、改善のための費用が少なくて済む。
【発明の効果】
【００２５】
以上説明したように、本発明によれば、信号の高周波化に対応して、器体と導電路との間に生じる浮遊容量を用いて入力端子及び出力端子と導電路とのインピーダンスを整合させ、又はインピーダンスが入力端子及び出力端子と整合した不平衡伝送路を介して入力端子と出力端子とを電気的に接続したので、高周波のテレビ放送用の信号に対しても、入力端子及び出力端子と導電路又は不平衡伝送路との間での反射による損失を低減することができる。
【発明を実施するための最良の形態】
【００２６】
（実施形態１）
本実施形態の基本構成は従来例と共通であるので、共通する部分については同じ符号を付して説明を省略し、異なる部分についてのみ説明する。
【００２７】
本実施形態は、図１に示すように、器体３の内面の入力端子１への挿抜方向（以下、「上下方向」と呼ぶ。）と出力端子２への挿抜方向（以下、「前後方向」と呼ぶ。）とに交差する方向（以下、「左右方向」と呼ぶ。）で導電路４を挟んだ両側に断面矩形状の突部３１を突設したことを特徴とする。その他の構成は、従来例と同様である。
【００２８】
上記構成によれば、高周波のテレビ放送用の信号に対しても、突部３１と導電路４との距離Ｘ１，Ｘ２及び突部３１の幅寸法Ｘ３，Ｘ４を適宜選択することによって、導電路４と器体３との間の浮遊容量を調整し、導電路４と入力端子１及び出力端子２とのインピーダンスを容易に整合させ、導電路４と入力端子１及び出力端子２との間の反射による損失を低減することができる。また、従来のものから突部３１を突設するだけであるから、製造も簡単でコストアップも抑えられる。
【００２９】
なお、突部３１の形状は上記形状に限られず、例えば図２に示すように曲面形状としてもよい。また、突部３１は導電路４の左右に設ける代わりに図３に示すように導電路４の上下に設けてもよい。
【００３０】
（実施形態２）
本実施形態の基本構成は実施形態１と共通であるので、共通する部分については同じ符号を付して説明を省略し、異なる部分についてのみ説明する。
【００３１】
本実施形態は、図４（ａ）に示すように突部３１を導電路４に沿って前後に並べて２組設けるとともに、図４（ｂ）に示すように突部３１の上面と器体３の内面との間に隙間を設け、対角に位置する２個の突部３１の上面にはそれぞれリブ３２を突設したことを特徴とする。
【００３２】
上記構成によれば、図５に示すように、切り欠き５１を設けたプリント配線板５を、切り欠き５１にリブ３２を係入させることによって器体３内に保持することができる。つまり、リブ３２が保持部である。図５の例では、入力端子１と出力端子２とを、導電路４に代えてプリント配線板５上に設けられた導電パターン５２とプリント配線板５に実装された直流阻止用のチップコンデンサ５３とを介して電気的に接続している。
【００３３】
上記構成によれば、直流阻止用のコンデンサや終端用の抵抗を備えたテレビターミナルと備えないテレビターミナルとで器体３を共用して製造コストを低減することができる。
【００３４】
（実施形態３）
本実施形態の基本構成は実施形態１と共通であるので、共通する部分については同じ符号を付して説明を省略し、異なる部分についてのみ説明する。
【００３５】
本実施形態は、図６（ａ）に示すように突部３１を導電路４の全周に亙って設けたことを特徴とする。具体的に説明すると、本実施形態の器体３は、図６（ｂ）に示すように、右面に凹部が形成され左内面にリブ３１ａが突設されるとともに内部に導電路４が収納された主部３ａと、導電性を有する材料からなり外周の形状が器体３の内周の形状と同様の形状に形成されリブ３１ａとともに突部３１を構成するコ字状部材３１ｂと、主部３ａを閉塞する蓋部３ｂとからなる。その他の構成は、実施形態１と同様である。
【００３６】
上記構成によれば、実施形態１よりも高い自由度でインピーダンスを選ぶことができるから、よりインピーダンスを整合させやすくなる。
【００３７】
なお、突部３１の内周の断面形状はどのような形状でもよく、例えば図６（ｃ）に示すように円形状としてもよい。
【００３８】
（実施形態４）
本実施形態の基本構成は従来例と共通であるので、共通する部分については同じ符号を付して説明を省略し、異なる部分についてのみ説明する。
【００３９】
本実施形態は、図７（ａ）（ｂ）に示すように、器体３の全体の肉厚を大きくすることによって器体３の内壁と導電路４との間の距離を小さくし、器体３の内壁と導電路４との間の浮遊容量を大きくすることによって導電路４と入力端子１及び出力端子２のインピーダンスを整合させている。その他の構成は、従来例と同様である。
【００４０】
なお、器体３の内部の空間の断面形状は図７（ｃ）に示すように円形状としてもよい。
【００４１】
（実施形態５）
実施形態１乃至実施形態４では、器体３の形状が従来例と異なり、器体３を従来例と共用することができないため、器体３を設けるために新たに金型等を製造する必要がある。本実施形態は、器体３を従来例と共用可能とし、改善に必要な費用の低減を図るものである。
【００４２】
本実施形態の基本構成は従来例と共通であるので、共通する部分については同じ符号を付して説明を省略し、異なる部分についてのみ説明する。
【００４３】
本実施形態は、図８（ａ）に示すように、入力端子１及び出力端子２とインピーダンスを整合させた不平衡伝送線路６の心線６１を介して入力端子１と出力端子２とを電気的に接続したことを特徴とする。不平衡伝送線路６は、図８（ｂ）に示すように、心線６１と、心線６１の全周を囲む絶縁体６２と、絶縁体６２の外周に設けられ絶縁体６２によって心線６１と絶縁された外被導体６３とからなる。外被導体６３は、器体３に電気的に接続される。その他の構成は、従来例と同様である。
【００４４】
上記構成によれば、信号の高周波化に対応してインピーダンスを入力端子１及び出力端子２と整合させた不平衡伝送線路６を用いたことにより、高周波のテレビ放送用の信号に対しても、不平衡伝送線路６と入力端子１及び出力端子２との間の反射による損失を低減することができる。また、器体３を従来のテレビターミナルと共用し、改善に必要な費用を実施形態１乃至実施形態４に比べて低減することができる。
【００４５】
（実施形態６）
本実施形態の基本構成は従来例と共通であるので、共通する部分については同じ符号を付して説明を省略し、異なる部分についてのみ説明する。
【００４６】
本実施形態は、図９（ａ）に示すように、導電路４に上下方向の幅寸法を他の部位よりも大きくした幅広部４１を設けたことを特徴とする。その他の構成は、従来例と同様である。
【００４７】
上記構成によれば、高周波のテレビ放送用の信号に対しても、幅広部４１と器体３との間の浮遊容量を利用して導電路４のインピーダンスを入力端子１及び出力端子２と整合させ、導電路４と入力端子１及び出力端子２との間の反射による損失を低減することができる。また、器体３を従来のテレビターミナルと共用し、改善に必要な費用を実施形態１乃至実施形態４に比べて低減することができる。
【００４８】
なお、図９（ｂ）に示すように、幅広部４１を複数箇所に設けてもよい。
【００４９】
また、図１０に示すように、導電路４の全周に亙って径を大きくした拡径部４２を設けてもよい。ここで、図１０（ｂ）では導電路４の断面形状は円形状となっているが、どのような形状としてもよい。
【図面の簡単な説明】
【００５０】
【図１】本発明の実施形態１を示す図であり、（ａ）（ｂ）は互いに異なる断面での断面図である。
【図２】同上の別の形態を示す断面図である。
【図３】同上の更に別の形態を示す図であり、（ａ）（ｂ）は互いに異なる断面での断面図である。
【図４】本発明の実施形態２を示す図であり、（ａ）（ｂ）は互いに異なる断面での断面図である。
【図５】同上にプリント配線板を追加した状態を示す図であり、（ａ）（ｂ）は互いに異なる断面での断面図である。
【図６】本発明の実施形態３を示す図であり、（ａ）は断面図、（ｂ）は分解した状態を示す断面図、（ｃ）は別の形態を示す断面図である。
【図７】本発明の実施形態４を示す図であり、（ａ）（ｂ）は互いに異なる断面での断面図であり、（ｃ）は別の形態を示す断面図である。
【図８】本発明の実施形態５を示す図であり、（ａ）は全体を示す断面図、（ｂ）は非平衡伝送路を示す断面図である。
【図９】本発明の実施形態６を示す図であり、（ａ）（ｂ）はそれぞれ異なる形態を示す断面図である。
【図１０】同上の更に別の形態を示す図であり、（ａ）（ｂ）は互いに異なる断面での断面図である。
【図１１】テレビターミナルの器体の一例を示す図であり、（ａ）は正面図、（ｂ）は平面図である。
【図１２】従来例を示すであり、（ａ）は図１１（ａ）のＡ−Ａ断面図、（ｂ）は図１１（ｂ）のＢ−Ｂ断面図、（ｃ）は図１１（ｂ）のＣ−Ｃ断面での構造を示す説明図である。
【図１３】同上に保持体を装着した状態を示す図であり、（ａ）は右側面図、（ｂ）は正面図、（ｃ）は背面図である。
【符号の説明】
【００５１】
１  入力端子
２  出力端子
３  器体
４  導電路
５  プリント配線板
６  不平衡伝送線路
３１  突部
３２  リブ
４１  幅広部
４２  拡径部
【図１】
2005050659.tif 000003
【図２】
2005050659.tif 000004
【図３】
2005050659.tif 000005
【図４】
2005050659.tif 000006
【図５】
2005050659.tif 000007
【図６】
2005050659.tif 000008
【図７】
2005050659.tif 000009
【図８】
2005050659.tif 000010
【図９】
2005050659.tif 000011
【図１０】
2005050659.tif 000012
【図１１】
2005050659.tif 000013
【図１２】
2005050659.tif 000014
【図１３】
2005050659.tif 000015